(57)【要約】      （修正有）【課題】製品の実用性を高め、同時に、産業上の利用価値を向上させるゴルフクラブヘッドを提供する。【解決手段】一種のゴルフクラブヘッドに関するものであり、特に、ゴルフの第一打に使用するヘッド構造を提供する。該ゴルフクラブヘッドは、クラブヘッド本体２０とフェース面２１を最低含み、該フェース面は、半球形或いは半円管状であり、これにより、ゴルフボールと円の接触面を成し、相互にぶつかり起こす反作用力により大きな爆発力を持つインパクト点を形成する故、ゴルフボールを打ち出す場合、更に遠くの第一打距離にショットすることができる。【選択図】図３
0003140631.tif 000002
【実用新案登録請求の範囲】
【請求項１】
ゴルフの第一打に使用するクラブヘッドの構造であり、該クラブヘッドは、中空殻体を呈し、ゴルフクラブヘッド本体の一方側にフェース面を備え、該フェース面は弧形状を有する半球面構造であり、これにより、ゴルフボールとフェース面の接触に大きな爆発力を持つインパクト点を形成させることができる故、更に良好な第一打距離を達成することができることを特徴とするゴルフクラブヘッド。
【請求項２】
中空殻体を呈し、クラブヘッド本体の一方側にフェース面を備え、該フェース面は、横方向の弧形状を有する半円管面構造であることを特徴とするゴルフクラブヘッド。
【請求項３】
中空殻体を呈しクラブヘッド本体の一方側にフェース面を備え、該フェース面は、縦方向の弧形状を有する半円管面構造であることを特徴とするゴルフクラブヘッド
【考案の詳細な説明】
【技術分野】
【０００１】
本考案は一種のゴルフクラブヘッドであり、特に、ゴルフの第一打に使用するヘッド構造を提供する。該ゴルフクラブヘッドは、クラブヘッド本体とフェース面を最低含み、該フェース面は、半球形或いは半円管状であり、これにより、ゴルフボールと円の接触面を成し、相互にぶつかり起こす反作用力により大きな爆発力を持つインパクト点を形成する故、ゴルフボールを打ち出す場合、更に遠くの第一打距離にショットすることができ、製品の実用性を高め、同時に、産業上の利用価値を向上させるゴルフクラブヘッドである。
【背景技術】
【０００２】
ゴルフは一種の優雅、且つ老若男女に適する運動であり、全ホール終了するには比較的長い時間を要するのと同時に多くの体力も消耗する。しかしその過程において、広いゴルフ場のグリーン上を散歩することにより、ウォーミングアップや筋骨を伸ばすことができ、気持ちもこれに伴い晴れやかになり、体と心の健康には非常に良好な効果を持つ。しかし、ゴルフの初心者や暫く練習していなかった者は、ゴルフの各ホールの第一打でボールを遠くに飛ばせないことが殆どである。周知の通り、標準のゴルフ場には18のコース、即ち18ホールを備えている。その内の4コースは、パー3、4コースはパー5、10コースはパー4である。パー3のコース距離は約250ヤード、パー4のコース距離は約251〜470ヤード、パー5のコース距離は約471ヤード以上である。
【０００３】
一般の伝統的なゴルフの第一打用クラブヘッドは、図１、図２に示す通りであり、該クラブヘッド10は中空殻体を呈する。クラブヘッド10の一方側にフェース面11を備え、該フェース面11は若干弧形状を有する平面である。該公知の伝統的なゴルフの第一打に使用するクラブヘッド10を実際に使用する場合、該ゴルフボール12はティー13でグリーン14上の適当な高さに支えられ、第一打時、クラブヘッド10の一方側のフェース面11でゴルフボール12を打撃し、ゴルフボール12をコース上にショットする。しかし、大部分の初心者や暫く練習していない者にとり、その第一打距離は通常たったの80〜150ヤードで、非常に理想的ではない。
【０００４】
もしゴルフボールを最も遠くにショットしたい場合は、ゴルフクラブヘッドのインパクト力、スウィング角度、インパクト点等の多くの条件を組み合わせて相互に協調運用してこそ、良好な効果を得ることができる。しかし前述の複雑且つ細やかなスウィング動作は、長期的に正確な訓練を経てこそ少しの成果を挙げられることができるもので、同時に力の制御及び放す時間位置は目に見えないもので、且つ、一気呵成できるものではない。本考案者は、ゴルフの第一打スウィング動作の変化、そのインパクト点、及び力の現れ方は反復練習から模索し経験が累積されるものであり、且つ、公知のゴルフクラブヘッドのフェース面が平面構造でその第一打距離には改善すべき点が残ることに鑑み、考案者は、考案を思い立ち、関連業界に携わり積み上げられた専門知識と実務設計の経験により熱心に研究を続け、終に、ゴルフクラブヘッドを生み出した。
【考案の開示】
【考案が解決しようとする課題】
【０００５】
本考案の目的は、一種のゴルフクラブヘッド、特にゴルフの第一打に使用するクラブヘッドの構造を提供することにあり、該ゴルフクラブヘッドは、クラブヘッド本体とフェース面を最低含む。該フェース面は半球形或いは半円管状であり、これにより、ゴルフボールと円の接触面を成し（野球バットとボールの円と円がぶつかる如し）、相互にぶつかり起こす反作用力により大きな爆発力を持つインパクト点を形成する故、ゴルフボールを打ち出す場合、更に遠くの第一打距離にショットすることができ、製品の実用性を高め、同時に、産業上の利用価値を向上させるゴルフクラブヘッドとなる。
【０００６】
前述目的を達成する為に、後述の通り、本考案の実施例を取り上げ、図面を組み合わせて説明する。よって貴審査委員の方々には本考案の長所、目的、効果を更に深く御理解戴けることだろう。
【０００７】
まず、図３に示す通り、本考案のゴルフクラブヘッドは、特に、ゴルフの第一打に使用するクラブヘッドであり、該クラブヘッド20は、中空殻体を呈する。主に、クラブヘッド20の一方側にフェース面21を備え、該フェース面21は弧形状を有する半球面構造である。図４に示した図を合わせて参照すると、該ゴルフボール12はティー13でグリーン14上の適当な高さに支えられ、実際に第一打する場合、クラブヘッド20の一方側の孤形を有する半球形のフェース面21でゴルフボール12をショットする。これにより、ゴルフボール12とフェース面21の接触には、大きな爆発力を持つインパクト点が形成される故、プレーヤーは更に良好な第一打距離を達成することができる。
【０００８】
図５に本考案の別の実施可能な構造を示す。該クラブヘッド30は中空殻体を呈し、主に、クラブヘッド30本体の一方側にフェース面31を備え、該フェース面31は横方向の弧形状を有する半円管面構造である。
【０００９】
図６に本考案のもう一つの実施可能な構造を示す。該クラブヘッド40は中空殻体を呈し、主に、クラブヘッド40本体の一方側にフェース面41を備え、該フェース面41は縦方向の弧形状を有する半円管面構造である。
【課題を解決するための手段】
【００１０】
請求項１の考案は、ゴルフの第一打に使用するクラブヘッドの構造であり、該クラブヘッドは、中空殻体を呈し、ゴルフクラブヘッド本体の一方側にフェース面を備え、該フェース面は弧形状を有する半球面構造であり、これにより、ゴルフボールとフェース面の接触に大きな爆発力を持つインパクト点を形成させることができる故、更に良好な第一打距離を達成することができることを特徴とするゴルフクラブヘッド。
請求項２の考案は、中空殻体を呈し、クラブヘッド本体の一方側にフェース面を備え、該フェース面は、横方向の弧形状を有する半円管面構造であることを特徴とするゴルフクラブヘッド。
請求項３の考案は、中空殻体を呈し、クラブヘッド本体の一方側にフェース面を備え、該フェース面は、縦方向の弧形状を有する半円管面構造であることを特徴とするゴルフクラブヘッド。
【考案の効果】
【００１１】
本考案のゴルフクラブヘッドは、特に、ゴルフの第一打に使用するヘッド構造を提供するものであり、フェース面は、ゴルフボールと円の接触面を成し、相互にぶつかり起こす反作用力により大きな爆発力を持つインパクト点を形成する故、ゴルフボールを打ち出す場合、更に遠くの第一打距離にショットすることができ、製品の実用性を高め、同時に、産業上の利用価値を向上させることを特徴とする。
【考案を実施するための最良の形態】
【００１２】
本考案は、前述構造の特徴に基づき、実際の運用において、半球形或いは半円管状を呈する本考案のクラブヘッド一方側のフェース面を利用することにより、無形のショット力は、ゴルフボールとの円の接触面を形成し、相互にぶつかり起こす反作用力により大きな爆発力を持つインパクト点を形成する故、ゴルフボールを更に遠い350ヤード以上にショットすることができる。
【図面の簡単な説明】
【００１３】
【図１】公知製品の構造図である。
【図２】公知製品の実施状態図である。
【図３】本考案の実施例１に関する構造図である。
【図４】本考案の実施例１に関する実施状態図である。
【図５】本考案の実施例２に関する構造図である。
【図６】本考案の実施例３に関する構造図である。
【符号の説明】
【００１４】
10  クラブヘッド
11  フェース面
12  ゴルフボール
13  ティー
14  グリーン
20  クラブヘッド
21  フェース面
30  クラブヘッド
31  フェース面
40  クラブヘッド
41  フェース面
【図１】
0003140631.tif 000003
【図２】
0003140631.tif 000004
【図３】
0003140631.tif 000005
【図４】
0003140631.tif 000006
【図５】
0003140631.tif 000007
【図６】
0003140631.tif 000008